(57)【特許請求の範囲】
【請求項１】
既設構造物取付面にブラケットを取り付けて前記既設構造物を補強する既設構造物補強構造であり、
前記ブラケットの取り付けは、前記既設構造物取付面と該取付面に接するブラケットの取付面との間に接着部材を介在させ、既設構造物とブラケットとを接着取り付けし、
前記既設構造物取付面と該取付面に接するブラケットの取付面との間にせん断キーを形成する、
ことを特徴とする既設構造物の補強構造。
【請求項２】
既設構造物取付面にブラケットを取り付けて既設構造物を補強する既設構造物補強構造であり、
前記ブラケットの取り付けは、該ブラケットを固定する固定材を用い、該固定材は、前記ブラケットを固定する固定部と固定した後の残余部分で構成される固定材の糊代部分とからなり、前記既設構造物取付面と該取付面に添接される前記固定材の糊代部分との間には接着部材を介在させ、既設構造物にブラケットを取り付け固定し、
前記固定材とブラケットとは接着剤で接着された、
ことを特徴とする既設構造物の補強構造。
【請求項３】
既設構造物取付面にブラケットを取り付けて既設構造物を補強する既設構造物補強構造であり、
前記ブラケットの取り付けは、該ブラケットを固定する固定材を用い、該固定材は、前記ブラケットを固定する固定部と固定した後の残余部分で構成される固定材の糊代部分とからなり、前記既設構造物の取付面と該取付面に接するブラケットの取付面及び前記既設構造物の取付面と該取付面に添接される前記固定材の糊代部分との間にはそれぞれ接着部材を介在させ、既設構造物にブラケットを取り付け固定し、
前記固定材とブラケットとは接着剤で接着された、
ことを特徴とする既設構造物の補強構造。
【請求項４】
既設構造物の複数取付面に各々ブラケットを取り付けて既設構造物を補強する既設構造物補強構造であり、
前記各々のブラケットの取り付けは、該ブラケットを固定する固定材を用い、該固定材は、前記ブラケットを固定する固定部を有し、
固定した後の両側の固定材同士を連結し、既設構造物の両側面に各々ブラケットを取り付け固定する、
ことを特徴とする既設構造物の補強構造。
【請求項５】
既設構造物の複数取付面に各々ブラケットを取り付けて既設構造物を補強する既設構造物補強構造であり、
前記各々のブラケットの取り付けは、該ブラケットを固定する固定材を用い、該固定材は、前記ブラケットを固定する固定部を有し、
前記既設構造物の複数取付面と該複数の取付面に接する各々のブラケットの取付面及び前記既設構造物の複数取付面と該複数の取付面に添接される前記両固定材との間にはそれぞれ接着部材を介在させると共に、前記両固定材同士を連結し、既設構造物の複数取付面に各々ブラケットを取り付け固定する、
ことを特徴とする既設構造物の補強構造。
【請求項６】
前記固定材の糊代部分が添設する既設構造物の取付面に前記接着部材が貯留する溝を複数形成した、
ことを特徴とする請求項２または請求項３記載の既設構造物の補強構造。
【請求項７】
既設構造物の取付面にブラケットを取り付けて既設構造物を補強する既設構造物の補強構造であり、
前記ブラケットの取り付けは、該ブラケットを固定する固定材を用い、該固定材は、前記ブラケットを固定する固定部と固定した後の残余部分で構成される固定材の糊代部分とからなり、
前記既設構造物の取付面側には、前記固定材の糊代部分表裏面部が収納される収納溝を設け、前記糊代部分表裏面部を前記収納溝に収納すると共に、該収納溝内に接着部材を充填し、既設構造物にブラケットを取り付け固定した、
ことを特徴とする既設構造物の補強構造。
【請求項８】
前記既設構造物の取付面は既設構造物の側面である、
ことを特徴とする請求項１、請求項２、請求項３、請求項４、請求項５、請求項６または請求項７記載の既設構造物の補強構造。
【請求項９】
前記固定材は、前記ブラケットを被覆する被覆材である、
ことを特徴とする請求項１、請求項２、請求項３、請求項４、請求項５、請求項６、請求項７または請求項８記載の既設構造物の補強構造。
【請求項１０】
前記ブラケットの取り付けに際しては、前記既設構造物取付面と該取付面に接するブラケットの取付面との間にせん断キーを形成する、
ことを特徴とする請求項２、請求項３、請求項４、請求項５、請求項６、請求項７、請求項８または請求項９記載の既設構造物の補強構造。
【請求項１１】
前記固定材とブラケットとは接着剤で接着された、
ことを特徴とする請求項４、請求項５、請求項６、請求項７、請求項８、請求項９または請求項１０記載の既設構造物の補強構造。
【発明の詳細な説明】
【技術分野】
【０００１】
本発明は、例えば既設の橋梁、橋梁または主桁、橋台あるいは建築構造物などの既設構造物にブラケットを取り付けて補強構造を構築する既設構造物の補強構造に関するものである。
【背景技術】
【０００２】
従来、既設コンクリート構造物などの既設構造物に意図的に新規の荷重作用点を形成したい場合には、例えばその側面側に補強用のブラケットを取り付け、前記荷重を前記ブラケットから既設構造物に伝達する構造が一般的に採用されている。そして、この採用例としては、既設橋梁の外ケーブル補強工法や落橋防止装置設置工法あるいは縁端拡幅工法等に見受けられる。
【０００３】
ここで、外ケーブル補強工法につき説明すると、外ケーブル補強工法とは、既設コンクリート橋梁など既設コンクリート構造物の外側面に補強用のブラケットを取り付け固定して該ブラケットに緊張材を配置し、定着部及び偏向部を介してプレストレスを与えるものである。
【０００４】
すなわち、外ケーブル補強工法は、防錆処理を施したＰＣ鋼材を直接コンクリート内部に配置しなくともよく、コンクリートの外側面など外部に配置し、定着部あるいは偏向部によりプレストレスを与える構造であり、その利点として、ウエブやスラブ内部にＰＣ鋼材ダクトを設けないため部材厚を薄くでき、また自重を低減することができる。また、自重が低減できた分だけ、ＰＣ鋼材量を減らすことができる。
【０００５】
ＰＣ鋼材の取替えや再緊張、プレストレス導入による桁の補強およびキャンバー調整が比較的容易に行え、維持管理の面で有利である。
ＰＣ鋼材の摩擦によるプレストレスの損失は、ケーブル支持点の偏向部のみで生じる。そのためプレストレスを有効に導入することができる。また、グラウト施工の状況が確認できるため、信頼性が向上する。と多くの利点があると言われている。
【０００６】
ところで従来、既設コンクリート構造物における前記ブラケットと前記既設コンクリート構造物の力の伝達のための接続は、図５、図１５、図１６に図示するように、例えば既設コンクリート構造物の側面６などから、前記コンクリート構造物を貫通する貫通孔４を削孔し、その貫通孔４に鉄筋、鋼製アンカーボルトあるいはＰＣ鋼棒３（プレストレス導入による摩擦接合を含む）を配筋して行っているのが現状である。
【０００７】
このように、例えば、既設コンクリート構造物へのブラケットの取り付けにあっては、何れの従来技術においても、既設コンクリート構造への削孔（貫通孔）が不可欠となっていた。
【０００８】
しかしながら、既設コンクリート構造物への削孔、特に貫通孔の削孔は、構造物への大きなダメージとなってしまい、また、既設コンクリート構造物の内部において、切断することができない既設鉄筋１６や既設のＰＣ鋼材２０との干渉を考慮すると、前記の貫通孔４の削孔位置はきわめて制約が多く、ブラケットの設置位置はかなり限定されてしまうのが実情であった（図５参照）。すなわち、図５から理解されるように、あらかじめ設計上設定された貫通孔４の位置１７では、切断することができない既設鉄筋１６や既設のＰＣ鋼材２０と重なって干渉してしまい、これにより削孔することができないのである。
【０００９】
そのため、現場において修正を施し、埋設されている既設鉄筋１６や既設のＰＣ鋼材２０の位置を一つ一つ確認し、その上で適切な削孔位置１８へ変更しなければならなかったのである。すなわち、現場において既設構造物内部への非破壊検査（ＲＣレーダ、Ｘ線などによる内部調査）及び微破壊検査（削孔などによる非破壊検査結果の検証）などを行わなければならなかったのである。
【００１０】
このように、既設コンクリート構造物への削孔の課題として、当該削孔により既設コンクリート構造物の耐力低下が大きく懸念され、また、この削孔による既設コンクリート構造物への影響および断面修復後の挙動が理論的に明らかにされていない。さらには、既設コンクリート桁など既設コンクリート構造物内部の既設ＰＣ鋼材２０、既設鉄筋１６と削孔位置が干渉することがあり、現実的には所定の位置に削孔できずに設計上問題となる場合が多い。などの課題が挙げられていたのである。
【先行技術文献】
【特許文献】
【００１１】
【特許文献１】特開２００２−２１２９１６号公報
【発明の概要】
【発明が解決しようとする課題】
【００１２】
かくして、本発明は前記従来からの課題に対処すべく創案されたものであり、本発明による既設構造物の補強構造は、削孔に基づく既設コンクリート構造物の耐力低下が大きく懸念されることがなく、また、既設コンクリート桁など既設コンクリート構造物内部のＰＣ鋼材、鉄筋と削孔位置が干渉する恐れもなく、しかも、既設コンクリート構造物などの既設構造物に意図的に新規の荷重作用点を設けたい場合において、例えばその側面側に補強のためのブラケットを設ける場合、荷重をブラケットから既設構造物に伝達する構造を容易に採用でき、既設橋梁の外ケーブル補強工法や落橋防止装置設置工法あるいは縁端拡幅工法等に用いられて容易に既設構造物の補強構造がスムーズに採用できるなどの優れた既設構造物の補強構造を提供することを目的とするものである。
【課題を解決するための手段】
【００１３】
既設構造物取付面にブラケットを取り付けて前記既設構造物を補強する既設構造物補強構造であり、
前記ブラケットの取り付けは、前記既設構造物取付面と該取付面に接するブラケットの取付面との間に接着部材を介在させ、既設構造物とブラケットとを接着取り付けし、
前記既設構造物取付面と該取付面に接するブラケットの取付面との間にせん断キーを形成する、
ことを特徴とし、
または、
既設構造物取付面にブラケットを取り付けて既設構造物を補強する既設構造物補強構造であり、
前記ブラケットの取り付けは、該ブラケットを固定する固定材を用い、該固定材は、前記ブラケットを固定する固定部と固定した後の残余部分で構成される固定材の糊代部分とからなり、前記既設構造物取付面と該取付面に添接される前記固定材の糊代部分との間には接着部材を介在させ、既設構造物にブラケットを取り付け固定し、
前記固定材とブラケットとは接着剤で接着された、
ことを特徴とし、
または、
既設構造物取付面にブラケットを取り付けて既設構造物を補強する既設構造物補強構造であり、
前記ブラケットの取り付けは、該ブラケットを固定する固定材を用い、該固定材は、前記ブラケットを固定する固定部と固定した後の残余部分で構成される固定材の糊代部分とからなり、前記既設構造物の取付面と該取付面に接するブラケットの取付面及び前記既設構造物の取付面と該取付面に添接される前記固定材の糊代部分との間にはそれぞれ接着部材を介在させ、既設構造物にブラケットを取り付け固定し、
前記固定材とブラケットとは接着剤で接着された、
ことを特徴とし、
または、
既設構造物の複数取付面に各々ブラケットを取り付けて既設構造物を補強する既設構造物補強構造であり、
前記各々のブラケットの取り付けは、該ブラケットを固定する固定材を用い、該固定材は、前記ブラケットを固定する固定部を有し、
固定した後の両側の固定材同士を連結し、既設構造物の両側面に各々ブラケットを取り付け固定する、
ことを特徴とし、
または、
既設構造物の複数取付面に各々ブラケットを取り付けて既設構造物を補強する既設構造物補強構造であり、
前記各々のブラケットの取り付けは、該ブラケットを固定する固定材を用い、該固定材は、前記ブラケットを固定する固定部を有し、
前記既設構造物の複数取付面と該複数の取付面に接する各々のブラケットの取付面及び前記既設構造物の複数取付面と該複数の取付面に添接される前記両固定材との間にはそれぞれ接着部材を介在させると共に、前記両固定材同士を連結し、既設構造物の複数取付面に各々ブラケットを取り付け固定する、
ことを特徴とし、
または、
前記固定材の糊代部分が添設する既設構造物の取付面に前記接着部材が貯留する溝を複数形成した、
ことを特徴とし、
または、
既設構造物の取付面にブラケットを取り付けて既設構造物を補強する既設構造物の補強構造であり、
前記ブラケットの取り付けは、該ブラケットを固定する固定材を用い、該固定材は、前記ブラケットを固定する固定部と固定した後の残余部分で構成される固定材の糊代部分とからなり、
前記既設構造物の取付面側には、前記固定材の糊代部分表裏面部が収納される収納溝を設け、前記糊代部分表裏面部を前記収納溝に収納すると共に、該収納溝内に接着部材を充填し、既設構造物にブラケットを取り付け固定した、
ことを特徴とし、
または、
前記既設構造物の取付面は既設構造物の側面である、
ことを特徴とし、
または、
前記固定材は、前記ブラケットを被覆する被覆材である、
ことを特徴とし、
または、
前記ブラケットの取り付けに際しては、前記既設構造物取付面と該取付面に接するブラケットの取付面との間にせん断キーを形成する、
ことを特徴とし、
または、
前記固定材とブラケットとは接着剤で接着された、
ことを特徴とするものである。
【発明の効果】
【００１４】
本発明によれば、削孔に基づく既設コンクリート構造物の耐力低下が大きく懸念されることがなく、また、既設コンクリート桁など既設コンクリート構造物内部のＰＣ鋼材、鉄筋と削孔位置が干渉する恐れもなく、しかも、既設コンクリート構造物などの既設構造物に意図的に新規の荷重作用点を設けたい場合において、例えばその側面側に補強のためのブラケットを設ける場合においても、荷重をブラケットから既設構造物に伝達する構造を容易に採用でき、既設橋梁の外ケーブル補強工法や落橋防止装置設置工法あるいは縁端拡幅工法等に用いられて容易に既設構造物の補強構造が提供できるなどの優れた効果を奏する。
【図面の簡単な説明】
【００１５】
【図１】本発明の第1実施例の構成を説明する説明図（１）である。
【図２】本発明の第1実施例の構成を説明する説明図（２）である。
【図３】本発明の第２実施例の構成を説明する説明図（１）である。
【図４】本発明の第２実施例の構成を説明する説明図（２）である。
【図５】従来の削孔状態を説明する説明図である。
【図６】本発明の第３実施例の構成を説明する説明図（１）である。
【図７】本発明の第３実施例の構成を説明する説明図（２）である。
【図８】本発明の第４実施例の構成を説明する説明図（１）である。
【図９】本発明の第４実施例の構成を説明する説明図（２）である。
【図１０】本発明の第５実施例の構成を説明する説明図（１）である。
【図１１】本発明の第５実施例の構成を説明する説明図（２）である。
【図１２】本発明の第６実施例の構成を説明する説明図（１）である。
【図１３】本発明の第６実施例の構成を説明する説明図（２）である。
【図１４】本発明の第７実施例を説明する説明図である。
【図１５】従来の構成を説明する説明図（１）である。
【図１６】従来の構成を説明する説明図（２）である。
【図１７】ブラケットの形状を説明する説明図である。
【発明を実施するための形態】
【００１６】
以下、本発明を図に示す実施例に基づいて説明する。
【実施例１】
【００１７】
図1、図２に第1実施例を示す。
図1、図２において符号２は橋梁であり、その主桁を示す。図では、橋梁２の補強をはかるため外ケーブル補強工法が実施される例を示している。
【００１８】
ところで、前述したように従来では、例えば橋梁２の主桁に外ケーブル補強工法を適用するためには、図1５、図１６から理解されるように、橋梁２の側面６にＰＣ鋼棒３が貫通する貫通孔４を削孔し、該貫通孔４にＰＣ鋼棒３を貫通させ、前記橋梁２の両側面にブラケット８、８を取り付け固定し、かつこのブラケット８を介して外ケーブル５、５を設置していた。しかしながら、この従来からの工法には各種の課題があることすでに述べたとおりである。
【００１９】
そこで、本実施例では、橋梁２の側面６に接着剤７を貼着し、該接着剤７を介してブラケット８の取付面９を添設して橋梁２の側面６に前記ブラケット８を取り付け固定するものとした。
【００２０】
ここで、接着剤７にはエポキシ系あるいはアクリル系の接着剤７を用いるものとし、例えば、エポキシ樹脂モルタル、ポリマーセメントモルタルやセメントモルタルなどの使用が挙げられる。
【００２１】
なお、図示されてはいないが、この際接着強度をさらに向上させるため、橋梁２の側面６やブラケット８の取付面９をあらかじめ粗面として形成し、該粗面に接着剤７を塗布し、もって双方を接着することが好ましい。なお、ブラケット８を鋼製ブラケットで構成する場合には、橋梁２の側面６のみを粗面として形成することが考えられる。
【００２２】
このように、ブラケット８の材質については何ら限定されるものではないが、一般的にはコンクリートブラケットが使用される。しかし、鋼製ブラケットであってもかまわないことすでに述べた通りである。
【００２３】
なお、前記ブラケット８の形状についても何ら限定されない。よって、直方体状であっても正方体状であってもかまわないし、台形状や多角形状さらには三角形状のものでもかまわない（図１７参照）。
【００２４】
なお、本実施例は、ブラケット８の取り付けに際し、橋梁２の側面６に適用した例として説明してあるが、本実施例は当該側面６の適用に限定されるものではなく、橋梁２のほかの面、例えば上面や下面などに適用することも考えられる。
【実施例２】
【００２５】
図３、図４に第２実施例を示す。
第２実施例では、前記ブラケット８の取り付けにつき、該ブラケット８を被覆する被覆材１０を用いたものである。
【００２６】
すなわち、被覆材１０の被覆部により、前記橋梁２の側面６に添接して取り付けられるブラケット８を例えば接着して被覆し、かつこのブラケット８を覆った被覆材１０の糊代部分１１を橋梁２の側面６に接着して固定するのである。
【００２７】
すなわち、ブラケット８を覆った後の残余部分で構成される被覆材１０の糊代部分１１と橋梁２の側面６との間に接着剤２１を介在させ、橋梁２の側面６にブラケット８を取り付け固定するものである。
【００２８】
ここで、被覆材１０には、繊維補強シート、例えば炭素繊維、アラミド繊維など、繊維強化プラスティック（ＦＲＰ）あるいは鋼板などが挙げられる。
【００２９】
また、繊維補強シートを使用する場合においては、ブラケット８を覆う被覆材１０（繊維補強シート）の積層枚数に何ら制限はないが、通常は一層で構成され、場合によっては数枚の複数層とする場合がある。さらに、繊維の方向はその荷重方向または荷重方向に直角の方向あるいは積層枚数が複数枚のときは両方向となる。
ただし、２軸繊維補強シートを使用する場合にはこの限りではない。
【００３０】
また、本実施例で使用される接着剤２１については、エポキシ系あるいはアクリル系のいわゆる含浸性を有する接着剤２１が用いられる。炭素繊維シートなどの連続繊維補強シートを貼り付けるためには、一般的に含浸接着との手法がとられる。すなわち、繊維の隙間に接着剤２１を含浸させた上、コンクリートに接着させるためである。
【００３１】
なお、本実施例についても、ブラケット８の取り付けに際し、橋梁２の側面６に適用した例として説明してあるが、本実施例は当該側面６の適用に限定されるものではなく、ほかの面、例えば上面や下面などに適用しても構わないものである。
【００３２】
また、本実施例では、被覆材１０を用い、ブラケット８の上面をも覆ってブラケット８を例えば橋梁２の側面６に取り付け、固定するよう構成してあるが、この構成に限定されるものではなく、例えばブラケット８の上面は覆うことなく、ブラケット８の側面と橋梁２の側面６とを固定するタイプの固定材を使用しても構わないものである。この場合は、ブラケット８の側面と固定材との間も接着剤で固定する必要がある。
【００３３】
また、ブラケット８と被覆部材１０との間については、両者の間を接着剤で接着する場合もあるし、接着剤で接着しない場合もある。
【実施例３】
【００３４】
図６、図７に第３実施例を示す。
第３実施例では、ブラケット８の取り付けにつき、橋梁２の側面６と該側面６に接するブラケット８の取付面９との間、及び橋梁２の側面６と該側面６に添接される、ブラケット８を被覆した後の被覆材１０の残余部分で構成された被覆材１０の糊代部分１１との間にそれぞれ接着剤７、接着剤２１を介在させて接着し、橋梁２の側面６にブラケット８を取り付け固定したものである。このように双方で接着してあるため、強力な接着力が期待できる。
【００３５】
ここで、使用される被覆材１０の種類、あるいは接着剤７、接着剤２１の種類は実施例1、実施例２で説明したものとほぼ同様である。
【００３６】
なお、前記被覆材１０を構成する繊維補強シートの材料の大部分は、前述したごとく一方向に繊維を引き揃えてシート状としたいわゆる１軸シートが考えられるが、繊維の方向を任意に設定して編成でき、さらには多軸繊維シートを使用してもかまわない。
【００３７】
なお、本実施例についても、ブラケット８の取り付けに際し、橋梁２の側面６に適用した例として説明してあるが、本実施例は当該側面６の適用に限定されるものではなく、例えば上面や下面などのいかなる面に適用しても構わないものである。
【００３８】
また、本実施例においても、被覆材１０を用い、ブラケット８の上面をも覆ってブラケット８を例えば橋梁２の側面６に取り付け、固定するよう構成してあるが、この構成に限定されるものではなく、例えばブラケット８の側面と橋梁２の側面６とを固定するタイプの固定材を使用しても構わないものである。この場合、ブラケット８の側面と固定材との間も接着剤で固定する必要がある。
【００３９】
また、ブラケット８と被覆部材１０との間については、両者の間を接着剤で接着する場合もあるし、接着剤で接着しない場合もある。
【実施例４】
【００４０】
図８及び図９に第４実施例を示す。
この実施例では、橋梁２の両側面６、６に対する各々のブラケット８、８の取り付けにつき、各々のブラケット８、８を被覆する被覆材１０を、ブラケット８を被覆する被覆部のみを有し、糊代部分１１を有しないもので構成した。
【００４１】
そして、前記橋梁２の両側面６、６と該両側面６、６に接する各々のブラケット８、８の取付面９、９及び前記橋梁２の両側面６、６と該両側面６、６に添接される前記両被覆材１０、１０との間にはそれぞれにあるいはいずれかに接着剤７、接着剤２１を介在させると共に、前記両被覆材１０、１０同士を連結すべく連結部材1２を取り付け、橋梁２の両側面６、６に各々のブラケット８、８を取り付け固定したものである。
【００４２】
なお、本実施例についても、橋梁２の側面６に適用した例として説明してあるが、本実施例は当該側面６の適用に限定されるものではなく、例えば上面や下面などのいかなる面に適用しても構わないものである。
【００４３】
また、本実施例においても、被覆材１０を用い、ブラケット８の上面をも覆ってブラケット８を例えば橋梁２の側面６に取り付け、固定するよう構成してあるが、この構成に限定されるものではなく、例えばブラケット８の側面と橋梁２の側面６とを固定するタイプの固定材を使用しても構わないものである。なお、この場合、ブラケット８の側面と固定材との間を接着剤で固定する必要がある。
【００４４】
また、ブラケット８と被覆部材１０との間については、両者の間を接着剤で接着する場合もあるし、接着剤で接着しない場合もある。
【実施例５】
【００４５】
図１０、図１１に第５実施例を示す。
この実施例では、被覆材１０の糊代部分１１が添設する橋梁２の側面６側に前記接着剤２１が貯留する溝1３・・・を複数形成しておき、該溝1３・・・に接着剤７を貯留させて被覆材１０と橋梁２の側面６との接着力向上を企図としたものである。
【００４６】
ここで、この実施例は第２実施例から第３実施例についても適用できる。すなわち、被覆材１０の糊代部分１１が橋梁２の側面６に添接させるタイプであれば、側面６側に複数の溝1３・・・を設け、該溝1３・・・内に接着剤２１を貯留させておき、もって接着させればより一層の接着力の向上がはかれるものとなる。
【００４７】
なお、本実施例についても、ブラケット８の取り付けに際し、橋梁２の側面６に適用した例として説明してあるが、本実施例は当該側面６の適用に限定されるものではなく、例えば、上面や下面などのいかなる面に適用しても構わないものである。
【００４８】
また、本実施例においても、被覆材１０を用い、ブラケット８の上面をも覆ってブラケット８を例えば橋梁２の側面６に取り付け、固定するよう構成してあるが、この構成に限定されるものではなく、例えばブラケット８の上面を覆うことなく、ブラケット８の側面と橋梁２の側面６とを固定するタイプの固定材を使用しても構わないものである。なお、この場合、ブラケット８の側面と固定材との間も接着剤で固定しておく。
【００４９】
また、ブラケット８と被覆部材１０との間については、両者の間を接着剤で接着する場合もあるし、接着剤で接着しない場合もある。
【実施例６】
【００５０】
図1２、図1３に第６実施例を示す。
本実施例では、ブラケット８の取り付けに際し、該ブラケット８を被覆する被覆材１０を、被覆する被覆部と、橋梁２の側面６と該側面６に添接される前記ブラケット８を被覆した後の残余部分で構成される被覆材１０の糊代部分１１とにより構成し、前記橋梁２の側面６側には、前記被覆材１０の糊代部分１１の表裏面部1４が収納される収納溝１５を設け、前記糊代部分１１の表裏面部1４を前記収納溝１５に収納すると共に、該収納溝１５内部に接着剤２１を充填して、橋梁２の側面６にブラケット８を取り付け固定したものである。
【００５１】
なお、この実施例にあっても、橋梁２の側面６とブラケット８の取付面９との間に接着剤７を介在させてあってもなくてもかまわないものである。
【００５２】
なお、本実施例についても、橋梁２の側面６に適用した例として説明してあるが、本実施例は当該側面６の適用に限定されるものではなく、前記したように、上面や下面などのいかなる面に適用しても構わないものである。
【００５３】
また、本実施例においても、被覆材１０を用い、ブラケット８の上面をも覆ってブラケット８を例えば橋梁２の側面６に取り付け、固定するよう構成してあるが、この構成に限定されるものではなく、例えばブラケット８の上面を覆うことなく、ブラケット８の側面と橋梁２の側面６とを固定するタイプの固定材を使用しても構わないものであり、この場合は、ブラケット８の側面と固定材との間も接着剤で固定しておくものとなる。
【００５４】
また、ブラケット８と被覆部材１０との間については、両者の間を接着剤で接着する場合もあるし、接着剤で接着しない場合もある。
【実施例７】
【００５５】
図１４に第７実施例を示す。
本実施例では、既設構造物である橋梁２の側面６と該側面６に接するブラケット８の取付面９との間にせん断キー２２を形成したものである。そして、該せん断キー２２によりスムーズに既設構造物である橋梁２へ力の伝達が行える様企図されたものである。
【００５６】
せん断キー２２は、例えば水平方向へのせん断力（界面のずれ）に抵抗する構造を指標するもので、一例として各々の取付面、例えば橋梁２の側面６と該側面６に接するブラケット８の取付面９とを例えば略のこぎり刃状に形成して、これらを噛み合う状態にした構成などが考えられる。
【００５７】
このようなせん断キー２２を形成することにより、強固な力伝達が行え、もって強固なブラケット８と橋梁２の側面との固定が行えるものとなる。
【００５８】
なお、本実施例についても、橋梁２の側面６に適用した例として説明してあるが、本実施例は当該側面６の適用に限定されるものではなく、例えば上面や下面などのいかなる面に適用しても構わないものである。
【００５９】
また、本実施例においても、被覆材１０を用い、ブラケット８の上面をも覆ってブラケット８を例えば橋梁２の側面６に取り付け、固定するよう構成してあるが、この構成に限定されるものではなく、例えばブラケット８の上面を覆うことなく、ブラケット８の側面と橋梁２の側面６とを固定するタイプの固定材を使用しても構わないものである。なお、この場合、ブラケット８の側面と固定材との間も接着剤で固定する必要があることは既に述べた。
【００６０】
また、ブラケット８と被覆部材１０との間については、両者の間を接着剤で接着する場合もあるし、接着剤で接着しない場合もある。
【符号の説明】
【００６１】
２      橋梁
３      ＰＣ鋼棒
４      貫通孔
５      外ケーブル
６      橋梁または主桁の取付面
７      接着剤
８      ブラケット
９      ブラケットの取付面
１０    被覆材
１１    被覆材の糊代部分
１２    連結部材
１３    溝
１４    糊代の表裏面全体部分
１５    収納溝
１６    既設鉄筋
１７    設計上の削孔位置
１８    現場での削孔位置
１９    既設鉄筋
２０    既設ＰＣ鋼材
２１    接着剤
２２    せん断キー
【図１】
0005757632.tif 000002
【図２】
0005757632.tif 000003
【図３】
0005757632.tif 000004
【図４】
0005757632.tif 000005
【図５】
0005757632.tif 000006
【図６】
0005757632.tif 000007
【図７】
0005757632.tif 000008
【図８】
0005757632.tif 000009
【図９】
0005757632.tif 000010
【図１０】
0005757632.tif 000011
【図１１】
0005757632.tif 000012
【図１２】
0005757632.tif 000013
【図１３】
0005757632.tif 000014
【図１４】
0005757632.tif 000015
【図１５】
0005757632.tif 000016
【図１６】
0005757632.tif 000017
【図１７】
0005757632.tif 000018